(57)【要約】　　　（修正有）【課題】社会に分散して存在する未使用あるいは低使用な装置を効率よく使うネットワークを形成し、分散的に存在する分析専門家を有効に結合させて、分析サービスを必要としている企業等に提供する分析サービス形態とする。【解決手段】最先端のネット通信技術を導入し、各地に分散する既存の民間、財団法人、特殊法人、独立法人またそれに限らない組織の持つ分析センター、分析室等と各地に分散する分析・評価人材を情報データとして保有し、これらの備える情報データが管理状態に共有化されている実験分析施設において各部門の独自性を維持するとともに上記各部門の繁閑情報を共有化することによって、クライアントの分析依頼に対して短期間かつ正確に結果を提供するに最適な部門と人材を提供することにより仮想的実験分析施設（以下バーチュアルラボと呼ぶ）として分析・評価サービス形態を構築する。【選択図】なし【特許請求の範囲】
【請求項１】
本提案の中心概念である分析サービスネットワークは、分析サービスを提供している組織又は個人、及び分析データの解析評価等を行う組織又は個人、及び分析用の標本作製を行う組織又は個人等を、その組織形態（民間、財団法人、国立、独立法人等）を問わずネットワークで結び仮想的実験施設とし、クライアントに上記分析サービスを提供、販売、教育することを目的とした営利活動のビジネスモデルであって、そのネットワークは日本国内外を問わず、インターネット、電子メディアなどを使った形で有機的に結合させてあることを特徴としたビジネスモデルであって、その分析サービスとは電子、イオン、光子、プラズマ、Ｘ線、光、化学反応、電気反応等を用いて、物質あるいは生体組織の組成、構造、微視的性質、巨視的な性質を分析することを特徴とするビジネスモデル。
【発明の詳細な説明】
【０００１】
【発明の属する技術分野】本提案は物理、化学、生物、農業、医学等を含む、またそれに限らない諸技術分野の分析・評価技術分野
【０００２】
【従来の技術】分析技術は多くの企業、大学、研究開発機関で使われており、その方法、種類は多岐に及ぶ。従来の分析サービス会社は自社の装置を備え、分析・評価技術者を常備させている。ほとんどの場合、限られた設備で、限られた分析サービスを提供・販売している。
従来の分析サービス会社は高価な装置、技官、評価専門員等を抱えており、経営、コストの問題で悩まされている。また、多くの場合、最先端の材料、加工技術の分析・評価の際技術者の再教育をしないと、評価技術、評価装置の目覚しい発展について行けないのが現状である。また、既存の分析サービス会社は競争要因を導入出来ておらず、動的経営、販売戦略に欠けている。
【０００３】
【課題を解決するための手段】本提案は、斯かる従来の問題点に鑑みてなされたもので、最先端のネット通信技術を導入し、既存の民間、財団法人、特殊法人、独立法人である、またそれに限らない組織の所有・管理している分析センター、分析室等をネットワークとし、会員、契約、特約等の契約形式で結合させて、また、社会の潜在的な分析・評価人材を結合させる、まったく新しい分析サービス会社（以下バーチュアルラボと呼ぶ）のビジネスモデルに基づく分析・評価サービス形態を構築する。
【０００４】
【作用】本提案では、広範な分析・評価サービス提供をすることによって、クライアントに低料金で、高品質な分析を提供する。さまざまなサイト、民間、財団法人、国立、独立法人等、で存在する装置、と研究所、大学等に在籍し、評価知識と技術を有する人材を高速ネットで結び低コスト、高品質なサービスを提供できる。
【０００５】
【実施例】第一図は本発明であるネットワーク型分析サービスビジネスモデル（ヴァーチャルラボラトリー）の概念図である。ヴァーチャルラボラトリー１は複数の分析ユニット３及び分析データ評価スタッフ４により構成される。これらの分析ユニット３又は分析データ評価スタッフ４は、組織又は個人であり、組織である場合、その組織形態（民間、財団法人、国立、独立法人等）を問わない。分析ユニット３又は分析データ評価スタッフ４をまとめてヴァーチャルラボラトリー１の構成要素と呼ぶ。ヴァーチャルラボラトリー１の構成要素はそれぞれインターネット、電子メールなどのネットワークで結ばれており、それぞれの構成要素間で高速通信ができるようになっている。これらのネットワークにはサンプルの輸送など物理的な搬送手段も含まれている。ヴァーチャルラボラトリーの管理はヴァーチャルラボラトリー管理事務所２により行われるようになっているがこの限りではなく、ある分析ユニット又は分析データ評価スタッフがヴァーチャルラボラトリーの管理業務を行っても良い。ヴァーチャルラボラトリー管理事務所２はクライアントの依頼に関して、最適な分析ユニット３及び分析データ評価スタッフ４の選択を行う。クライアントからの依頼及びクライアントへの分析結果の受け渡しはヴァーチャルラボラトリー管理事務所２を介して行われるようになっている。分析結果のアウトプットに関しては直接ヴァーチャルラボラトリー構成要素からクライアントに受け渡されても構わない。
【０００６】
第二図は本発明の一実施例に関するものである。依頼者１１からの分析依頼１４に対してヴァーチャルラボラトリー管理事務所１２は最適な分析ユニット１３の選択１５を行う。選択された分析ユニット１３に対して分析対象が配送される。分析ユニット１３は分析して得られた結果を解析し、分析データ及び解析結果を伝送路１６、１７を用いてヴァーチャルラボラトリー管理事務所を介して依頼者１１に送る。伝送路１８を用いて依頼者１１に直接送っても構わない。
【０００７】
第三図は本発明の別の一実施例に関するものである。依頼者２１からの分析依頼２５に対してヴァーチャルラボラトリー管理事務所２２は最適な分析ユニット２３の選択２６を行う。このとき分析依頼２５の内容が一つの分析ユニット２３のキャパシティをこえると考えられたとき、ヴァーチャルラボラトリー管理事務所２２は分析データの評価の為に最適な分析データ評価スタッフ２４の選択２７を行う。このような場合においては、分析ユニット２３は分析のみを行い分析データの分析データ評価スタッフ２４への伝送２８を行う。分析データを受け取った分析データ評価スタッフ２４は分析データの解析を行う。分析データ及び解析結果は伝送路２９、３０を用いてヴァーチャルラボラトリー管理事務所を介して依頼者２１に送る。伝送路３１を用いて依頼者２１に直接送っても構わない。
【０００８】
第四図は本発明の別の一実施例に関するものである。依頼者４１からの分析技術等に関する教育依頼４４に対してヴァーチャルラボラトリー管理事務所４２はヴァーチャルラボラトリーネットワーク４３の中から最適な分析ユニット又は分析データ評価スタッフ又は標本作製スタッフ等の選択４５を行う。最適な分析ユニット又は分析データ評価スタッフ又は標本作製スタッフを選択した後、ヴァーチャルラボラトリー管理事務所４２は依頼者４１に対して選択された分析ユニット又は分析データ評価スタッフ又は標本作製スタッフを派遣する。
【０００９】
第五図は本発明の別の一実施例に関するものである。依頼者５１からの分析依頼５５に対してヴァーチャルラボラトリー管理事務所５２は最適な分析ユニット５４の選択５７を行う。このとき分析依頼５５において高度な標本作製能力が要求されるとき、ヴァーチャルラボラトリー管理事務所５２は標本の作製の為に最適な標本作製ユニット５３の選択５６を行う。このような場合においては、クライアント５１からの分析依頼５５は選択された標本作製ユニット５３に伝えられ、ここで分析用の標本作製が行われる。この後、作製された標本の伝送５８により標本は選択された分析ユニット５４に伝送される。分析データ及び解析結果は伝送路５９、６０を用いてヴァーチャルラボラトリー管理事務所５２を介してクライアント５１に送られる。伝送路６１を用いて依頼者５１に直接送っても構わない。
【００１０】
【発明の効果】以上説明したように、本提案は社会に分散して存在する未使用あるいは低使用な装置を効率よく使うネットワークを形成し、分散的存在している分析専門家を有効に結合させて、分析サービスを必要としている中小企業、ベンチャー企業等に提供し、最先端の分析技術を用いて、産業、農業、医療、環境諸分野に活動しているグループ、個人に提供する新しいタイプの分析サービス形態である。
【図面の簡単な説明】
【図１】ネットワーク型分析サービスビジネスモデルの概念図
【図２】本発明の第一実施例に係わるビジネスモデルの概略図
【図３】本発明の第二実施例に係わるビジネスモデルの概略図
【図４】本発明の第三実施例に係わるビジネスモデルの概略図
【図５】本発明の第四実施例に係わるビジネスモデルの概略図
【符号の説明】
１…ヴァーチャルラボラトリー
２…ヴァーチャルラボラトリー管理事務所
３…分析ユニット
４…分析データ評価ユニット
５…標本作製ユニット
１１…クライアント
１２…ヴァーチャルラボラトリー管理事務所
１３…分析ユニット
１４…分析の依頼
１５…最適な分析ユニットの選択
１６…分析データ及び解析結果の伝送
１７…分析データ及び解析結果の伝送
１８…分析データ及び解析結果の伝送
２１…クライアント
２２…ヴァーチャルラボラトリー管理事務所
２３…分析ユニット
２４…分析データ評価スタッフ
２５…分析の依頼
２６…最適な分析ユニットの選択
２７…最適な分析データ評価スタッフの選択
２８…分析データの伝送
２９…分析データ及び解析結果の伝送
３０…分析データ及び解析結果の伝送
３１…分析データ及び解析結果の伝送
４１…クライアント
４２…ヴァーチャルラボラトリー管理事務所
４３…ヴァーチャルラボラトリーネットワーク
４４…教育の依頼
４５…教育サービスの実施者又は組織の選定
４６…教育サービスの実施者又は組織の提供
４７…教育サービスの実施者又は組織の提供
５１…クライアント
５２…ヴァーチャルラボラトリー管理事務所
５３…標本作製ユニット
５４…分析ユニット
５５…分析依頼
５６…標本作製ユニット選択
５７…分析ユニット選択
５８…作製標本伝送
５９…分析データ及び解析結果の伝送
６０…分析データ及び解析結果の伝送
６１…分析データ及び解析結果の伝送
【図１】
2004145684.tif 000002
【図２】
2004145684.tif 000003
【図３】
2004145684.tif 000004
【図４】
2004145684.tif 000005
【図５】
2004145684.tif 000006
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
本提案の中心概念である分析サービスネットワークは、分析サービスを依頼する場合に、迅速かつ最適な分析結果を提供する支援システムであり、
日本国内外、また組織形態を問わず分散している分析ユニット、分析データ評価スタッフおよび分析用の標本作製ユニットなどの分析技術を有する部門と、これら各ユニットと通信ネットワークを介して接続される前記システムの運営を行う管理事務所が保有する各部門の情報データとから構成され、
各ユニットの独自性を維持しつつ各ユニットの繁閑情報を上記管理事務所が各部門の情報データから検出することによって、各ユニット又はユニット外から生ずる分析の要求に応じて、分析結果を速やかに提供することを特徴とする、実験分析支援システム。
【手続補正２】
【補正対象書類名】明細書
【補正対象項目名】発明の詳細な説明
【補正方法】変更
【補正の内容】
【発明の詳細な説明】
【０００１】
【発明の属する技術分野】本提案は物理、化学、生物、農学、医学等を含む、またそれに限らない諸技術分野の分析・評価技術分野
【０００２】
【従来の技術】分析技術は多くの企業、大学、研究開発機関で使われており、その方法、種類は多岐に及ぶ。従来の分析サービス会社は自社の装置を備え、分析・評価技術者を常備させている。ほとんどの場合、限られた設備で、限られた分析サービスを提供・販売している。
【０００３】
【発明が解決しようとする課題】しかしながらクライアントが期待する複雑かつ独特な分析を依頼することは非常に困難である。また、従来の分析サービス会社は高価な装置、技官、評価専門員等を抱えており、経営、コストの問題で悩まされている。また、多くの場合、最先端の材料、加工技術の分析・評価の際技術者の再教育をしないと、評価技術、評価装置の目覚しい発展について行けないのが現状である。
【０００４】
【課題を解決するための手段】本発明に関わる実験分析支援システムは、分析サービスを依頼する場合に、迅速かつ最適な分析結果を提供する支援システムであり、
日本国内外、また組織形態を問わず分散している分析ユニット、分析データ評価スタッフおよび分析用の標本作製ユニットなどの分析技術を有する部門と、これら各ユニットと通信ネットワークを介して接続される前記システムの運営を行う管理事務所が保有する各部門の情報データとから構成され、
各ユニットの独自性を維持しつつ各ユニットの繁閑情報を上記管理事務所が各部門の情報データから検出することによって、各ユニット又はユニット外から生ずる分析の要求に応じて、分析結果を速やかに提供することを特徴としているので、日本国内外およびその組織形態（民間、財団法人、国立、独立法人等）を問わず電子、イオン、光子、プラズマ、Ｘ線、光、化学反応、電気反応等を用いて、物質あるいは生体組織の組成、構造、微視的性質、巨視的な性質を分析することができ、クライアントからの分析依頼に対して、ヴァーチャルラボラトリー管理事務所は共有する情報データにある繁閑情報から対応可能な分析ユニットを構成する各ユニットを選択し、分析および解析評価を実行させ、クライアントから要求された所期の分析依頼に対して、速やかに結果を報告することができる。
【０００５】
【作用】本提案では、広範な分析・評価サービス提供をすることによって、クライアントに低料金で、高品質な分析を提供する。さまざまなサイト、民間、財団法人、国立、独立法人等で存在する装置、と研究所、大学等に在籍し、評価知識と技術を有する人材を高速ネットで結び、低コスト、高品質なサービスを提供できる。
【０００６】
【実施例】第一図は本発明であるネットワーク型分析サービスビジネスモデル（ヴァーチャルラボラトリー）の概念図である。ヴァーチャルラボラトリー１は複数の分析ユニット３及び分析データ評価スタッフ４により構成される。これらの分析ユニット３又は分析データ評価スタッフ４は、組織又は個人であり、組織である場合、その組織形態（民間、財団法人、国立、独立法人等）を問わない。分析ユニット３又は分析データ評価スタッフ４をまとめてヴァーチャルラボラトリー１と呼ぶ。ヴァーチャルラボラトリー１の構成要素はそれぞれインターネット、電子メールなどのネットワークで結ばれており、それぞれの構成要素間で高速通信ができるようになっている。これらのネットワークにはサンプルの輸送など物理的な搬送手段も含まれている。ヴァーチャルラボラトリーの管理はヴァーチャルラボラトリー管理事務所２により行われるようになっているがこの限りではなく、ある分析ユニット又は分析データ評価スタッフがヴァーチャルラボラトリーの管理業務を行ってもよい。ヴァーチャルラボラトリー管理事務所２はクライアントの依頼に関して、最適な分析ユニット３及び分析データ評価スタッフ４の選択を行う。クライアントからの依頼及びクライアントへの分析結果の受け渡しはヴァーチャルラボラトリー管理事務所２を介して行われるようになっている。分析結果はアウトプットに関しては直接ヴァーチャルラボラトリー構成要素からクライアントに受け渡されても構わない。
【０００７】
第二図は本発明の一実施例に関するものである。依頼者１１からの分析依頼１４に対してヴァーチャルラボラトリー管理事務所１２は最適な分析ユニット１３の選択１５を行う。選択された分析ユニット１３に対して分析対象が配送される。分析ユニット１３は分析して得られた結果を解析し、分析データ及び解析結果を伝送路１６，１７を用いてヴァーチャルラボラトリー管理事務所を介して依頼者１１に送る。伝送路１８を用いて依頼者１１に直接送っても構わない。
【０００８】
第三図は本発明の別の一実施例に関するものである。依頼者２１からの分析依頼２５に対してヴァーチャルラボラトリー管理事務所２２は最適な分析ユニット２３の選択２６を行う。このとき分析依頼２５の内容が一つの分析ユニット２３のキャパシティを超えると考えられたとき、ヴァーチャルラボラトリー管理事務所２２は分析データの評価のために最適な分析データ評価スタッフ２４の選択２７を行う。このような場合においては、分析ユニット２３は分析のみを行い分析データの分析データ評価スタッフ２４は分析データの解析を行う。分析データ及び解析結果は伝送路２９，３０を用いてヴァーチャルラボラトリー管理事務所を介して依頼者２１に送る。伝送路３１を用いて依頼者２１に直接送っても構わない。
【０００９】
第四図は本発明の別の一実施例に関するものである。依頼者４１からの分析技術等に関する教育依頼４４に対してヴァーチャルラボラトリー管理事務所４２はヴァーチャルラボラトリーネットワーク４３の中から最適な分析ユニット又は分析データ評価スタッフ又は標本作製スタッフ等の選択４５を行う。最適な分析ユニット又は分析データ評価スタッフ又は標本作製スタッフを選択した後、ヴァーチャルラボラトリー管理事務所４２は依頼者４１に対して選択された分析ユニット又は分析データ評価スタッフ又は標本作製スタッフを派遣する。
【００１０】
第五図は本発明の別の一実施例に関するものである。依頼者５１からの分析依頼５５に対してヴァーチャルラボラトリー管理事務所５２は最適な分析ユニット５４の選択５７を行う。このとき分析依頼５５において高度な標本作製能力が要求されるとき、ヴァーチャルラボラトリー管理事務所５２は標本の作製のために最適な標本作製ユニット５３の選択５６を行う。このような場合においては、クライアント５１からの分析依頼５５は選択された標本作製ユニット５３に伝えられ、ここで分析用の標本作製が行われる。この後、作製された標本の伝送５８により標本は選択された分析ユニット５４に伝送される。分析データ及び解析結果は伝送路５９、６０を用いてヴァーチャルラボラトリー管理事務所５２を介してクライアント５１に送られる。伝送路６１を用いて依頼者５１に直接送っても構わない。
【００１１】
【発明の効果】以上説明したように、本提案は社会に分散して存在する未使用あるいは低使用な装置を効率よく使うネットワークを形成し、分散的存在している分析専門家を有効に結合さえて、分析サービスを必要としている中小企業、ベンチャー企業等に提供し、最先端の分析技術を用いて、産業、農業、医療、環境諸分野に活動しているグループ、個人に提供する新しいタイプの分析サービス形態である。
【図面の簡単な説明】
【図１】ネットワーク型分析サービスビジネスモデルの概念図
【図２】本発明の第一実施例に係わるビジネスモデルの概略図
【図３】本発明の第二実施例に係わるビジネスモデルの概略図
【図４】本発明の第三実施例に係わるビジネスモデルの概略図
【図５】本発明の第四実施例に係わるビジネスモデルの概略図
【符号の説明】
１…ヴァーチャルラボラトリー
２…ヴァーチャルラボラトリー管理事務所
３…分析ユニット
４…分析データ評価ユニット
５…標本作製ユニット
１１…クライアント
１２…ヴァーチャルラボラトリー管理事務所
１３…分析ユニット
１４…分析の依頼
１５…最適な分析ユニットの選択
１６…分析データ及び解析結果の伝送
１７…分析データ及び解析結果の伝送
１８…分析データ及び解析結果の伝送
２１…クライアント
２２…ヴァーチャルラボラトリー管理事務所
２３…分析ユニット
２４…分析データ評価スタッフ
２５…分析の依頼
２６…最適な分析ユニットの選択
２７…最適な分析データ評価スタッフの選択
２８…分析データの伝送
２９…分析データ及び解析結果の伝送
３０…分析データ及び解析結果の伝送
３１…分析データ及び解析結果の伝送
４１…クライアント
４２…ヴァーチャルラボラトリー管理事務所
４３…ヴァーチャルラボラトリーネットワーク
４４…教育の依頼
４５…教育サービスの実施者又は組織の選定
４６…教育サービスの実施者又は組織の提供
４７…教育サービスの実施者又は組織の提供
５１…クライアント
５２…ヴァーチャルラボラトリー管理事務所
５３…標本作製ユニット
５４…分析ユニット
５５…分析依頼
５６…標本作製ユニット選択
５７…分析ユニット選択
５８…作製標本伝送
５９…分析データ及び解析結果の伝送
６０…分析データ及び解析結果の伝送
６１…分析データ及び解析結果の伝送